(57)【要約】【目  的】磁石と磁石を連結して組合わせることによりマグネットクリップの弱点をカバーし、ワンタッチで出入れできることを目的とする。【構  成】（２）保持磁石と（３）押え磁石を（１）支持台に固定して弾力材で連結し、（４）連結部には回動自在な複数の（５）みぞを形成する。（１）支持台の端に（６）支持足を設けて、（３）押え磁石の（７）出入れ口側底面を持ち上げて固定する。（６）支持足の下部にはわん曲状の（７）出入れ口を設ける。【選択図】      図１
2004262223.tif 000002
【特許請求の範囲】
【請求項１】
（２）保持磁石と（３）押え磁石の間を適度な距離を保ち、弾力材で連結された（４）連結部に回動自在とする複数の（５）みぞを設ける。
【請求項２】
（３）押え磁石の（７）出入れ口側底面を（６）支持足で持ち上げて固定し（６）支持足の下部にわん曲状の（７）出入れ口を形成する。
【発明の詳細な説明】
【０００１】
【産業上の利用分野】
この発明は、マグネットクリップ利用するときに磁石をいちいち着脱しないで、ワンタッチで使用できるようにしたものである。
【０００２】
【従来の技術】
従来、マグネットクリップの利用法は、紙の上から直接押えたりするものや、磁石にクリップを一体化させたもの、バーに取り付けてその長さを利用するものなどがあった。
いずれも使い方は同じで、使用時に両手を使い磁石をいちいち着脱して紙に接着するいう磁石の単一機能だけを利用していた。
【０００３】
【発明が解決しょうとする課題】
したがって、このような利用法では磁石の欠点の滑りや脱落が除去できなかった。
また、磁力についてもその強弱の調節ができないので、紙の厚さによって強弱の磁石を使いわけたり、着脱の際にも磁石を脱落させたりする不便があった。
このような欠点や不便のために、ワンタッチで出入れをすることがなかなかできなかった。
本発明は、その欠点や不便を取り除くために考えだされたものである。
【０００４】
【課題を解決するための手段】
（２）保持磁石と（３）押え磁石の間を適度な距離を保ち、弾力材で連結された（４）連結部に回動自在とする複数の（５）みぞを設ける。（１）支持台の端に（６）支持足を設けて、（３）押え磁石の（７）出入れ口側の底面を持ち上げて固定する。（６）支持足の下部にはわん曲状の（７）出入れ口を形成する。
【０００５】
【作用】
（２）保持磁石と（３）押え磁石のあいだに、磁石同士が自在な動きができるように適度な距離を空け、弾力材によって（４）連結部で連結する。弾力材には回動自在な複数の（５）みぞを設けることによって（１０）保持平面と（１１）押え平面でつくられる（８）平面段差の形成を容易にする。
（４）連結部に（５）みぞを設ける代わりに、軟化ビニールなど、複合曲折が可能な弾力材を用いても同じ効果が得られる。
（３）押え磁石を固定した（１）支持台の端に（６）支持足を設け、その下部にわん曲状の（７）出入れ口を設ける。さらに、その（６）支持足で（３）押え磁石の（７）出入れ口側の底面を持ち上げ固定させて、（９）磁力段差をつくり、（６）支持足の下部の磁力を弱めさせる。よって、この（９）磁力段差が（７）出入れ口と中側との磁力の強弱を調節する作用をする。また、（３）押え磁石の中側の底面と（６）支持足の下部で（１１）押え平面がを形成される。この（１１）押え平面ともう一方の（２）保持磁石が作る（１０）保持平面が（８）平面段差となる。この段差は紙が（７）出入れ口から挿入されると（３）押え磁石が持ち上げられるので、それと一緒に（２）保持磁石が持ち上がらないようにする作用がある。
【０００６】
【実施例】
実施例１
図１に基づいて実施例１を説明する。
実施例１は本発明の斜視図である。
（２）保持磁石と（３）押え磁石の間に適度な距離を空けて（１）支持台に固定して連結し、その（４）連結部には回動自在な複数の（５）みぞを設ける。（１）支持台の（３）押え磁石側の端に（６）支持足を設けて（３）押え磁石の（７）出入れ口側の底面を持ち上げて固定する。（６）支持足の下部にはわん曲状の（７）出入れ口を形成する。
【０００７】
実施例２
図２に基づいて実施例２を説明する。
実施例２は本発明のＡ−Ａ’の断面図である。
【０００８】
実施例３
図３に基づいて実施例３を説明する。
実施例３は本発明の使用状態を示す断面図である。
（１３）紙を奥まで差し込んだ状態で（８）平面段差が生じることを示す。
その場合２個所の（５）みぞが曲折することによって、（２）保持磁石が同時に持ち上がらないように脱落の防止をする。
よって、（５）みぞが（８）平面段差をつくって（２）保持磁石を守るので（１３）紙の進入を途中でくい止め、（３）押え磁石の滑りや脱落を防ぐ働きをする。
【０００９】
実施例４
図４に基づいて実施例４を説明する。
実施例４は、本発明の（１３）紙の（７）出入れ口を二箇所にした実施例を示す断面図である。
（１）支持台の両端に（６）支持足を二箇所つくり下部にそれぞれわん曲状の（７）出入れ口を形成したものである。従って、お互に（２）保持磁石や（３）押え磁石となって相手の滑りや脱落、用紙の進入くい止めの働きを補完しあう。
【００１０】
実施例５
図５に基づいてた実施例５を説明する。
実施例５は本発明の実施例４の他の実施例の断面図である。
中央に（２）保持磁石を配し両側に（３）押え磁石を設置したものである。この場合、中心部をバー磁石のような長いものを使用し、さらに鈴なり状に（３）押え磁石を配置することによって、多用途な利用ができる。
【００１１】
実施例６
図６に基づいて実施６を説明する。
実施例６は、本発明の（９）磁力段差を形成する他の実施例を示す断面図である。
（３）押え磁石を（７）出入れ口の（６）支持足下部からの距離を離すことにより、（９）磁力段差を形成して磁力を減少させる実施例である。
【００１２】
【発明の効果】
本発明は、以上のような構造と作用によりつぎの効果がある。
（２）保持磁石と（３）押え磁石が回動自在な複数の（５）みぞによって（８）平面段差がつくり独立しているので、磁石の欠点である滑りや脱落の防ぐ。
（１３）紙を挟んだときに生じる（８）平面段差は、もう一方の（３）保持磁石が持ち上がって滑りや脱落するのを防ぎ、また紙の進入を中央でくい止める効果がある。（７）出入れ口の（９）磁力段差は、（７）出入れ口の磁力を弱めて腰の弱い紙でも挿入を可能にするので、わん曲状の（７）出入れ口を形成することにより、紙の多少に係わらずワンタッチでクリツプできる効果がある。
従って、紙をクリップするのにいちいち磁石を着脱する手間が省ける。
【図面の簡単な説明】
【図１】本発明の斜視図
【図２】図１Ａ−Ａ’線の断面図
【図３】本発明の使用状態の断面図である。
【図４】本発明の実施例４の断面図である。
【図５】本発明の実施例５の断面図である。
【図６】本発明の実施例６の断面図である。
【符号の説明】
１は  支持台
２は  保持磁石
３は  押え磁石
４は  連結部
５は  みぞ
６は  支持足
７は  出入れ口
８は  平面段差
９は  磁力段差
１０は  保持平面
１１は  押え平面
１２は  鉄板
１３は  紙
【図１】
2004262223.tif 000003
【図２】
2004262223.tif 000004
【図３】
2004262223.tif 000005
【図４】
2004262223.tif 000006
【図５】
2004262223.tif 000007
【図６】
2004262223.tif 000008